(57)【要約】【課題】  従来、新規見込み客を獲得する場合、新聞雑誌等へと広告を掲載する方法が挙げられるが、消費者は、興味のないＤＭや新聞広告等を見ても、反応が悪い。【解決手段】  旅行代理店等の企業側と、資金及び／又は場所を提供する提供者側と、消費者とにおいて、企業が消費者から新規見込み客を獲得する獲得方法である。消費者は、提供者側の商品等を購入することにより、懸賞に応募することができ、懸賞に申し込むために、消費者自身が個人情報を提供し、個人情報の提供を受けた企業側は、既存客と新規見込み客を判定し、有効な新規見込み客に対してのみ、旅行の案内（定期購読の旅行用カタログ）を送付する、効率よく新規見込み客を獲得する獲得方法である。【選択図】          図１−１
2010286919.tif 000002
【特許請求の範囲】
【請求項１】
請求項１は、会員募集旅行等の業務を行う旅行代理店等の企業側と、この企業側に対して、資金及び／又は場所を提供する提供者側と、この企業側及び／又は提供者側に個人情報を提供する消費者とで構成したネットワークシステムにおいて、この消費者は、商品の購入と、この購入により資格を得て懸賞を応募し、この応募した消費者の中で当選した消費者に、前記提供者側が旅行券を配布し、また、この応募した消費者に対して、定期購読の旅行用カタログを配布することを基にする新規見込み客の獲得方法であって、
この消費者が、前記企業側及び／又は提供者側から旅行券の配布を受ける資格を獲得するための条件は、この提供者側の商品を一定金額以上購入し、応募用紙を入手し、かつこの応募用紙に、当該消費者の個人情報を記入し、この消費者が応募した場合には、前記企業側及び／又は提供者側のコンピューターに入力し、
そして、この個人情報の提供を受けた企業側及び／又は提供者側は、この企業側及び／又は提供者側のコンピューターに蓄積された既存客の個人情報と、前記応募した消費者の個人情報を、このコンピューターの判定演算部で処理し、判定かつ決定し、この判定かつ決定された消費者を新規見込み客とし、
この新規見込み客に、定期購読の旅行用カタログを配布する構成とした旅行券、及び定期購読の旅行用カタログの配布を基にする新規見込み客の獲得方法である。
【請求項２】
請求項２は、請求項１に記載の定期購読の旅行用カタログ及び／又は旅行券を配布する、旅行券、及び定期購読の旅行用カタログの配布を基にする新規見込み客の獲得方法であって、
既存客と、新規見込み客を判定する方法は、氏名・住所・生年月日・性別・地域・電話番号・職業の一定の条件設定を決定し、この条件設定に該当しないものを、前記コンピューターの判定演算部で判定し、この判定を表示識別部で、識別表示することで、この判定により新規見込み客とし、この新規見込み客に対してのみ、企業側から定期購読の旅行用カタログを配布する構成とした旅行券、及び定期購読の旅行用カタログの配布を基にする新規見込み客の獲得方法である。
【請求項３】
請求項３は、請求項１に記載の定期購読の旅行用カタログ及び／又は旅行券を配布する、旅行券、及び定期購読の旅行用カタログの配布を基にする新規見込み客の獲得方法であって、前記コンピューターの表示識別部での表示は、色別・数字による目視判断、及び／又は音声による判断を基に新規見込み客とし、この新規見込み客の有益な個人情報を獲得する構成とした旅行券、及び定期購読の旅行用カタログの配布を基にする新規見込み客の獲得方法である。
【発明の詳細な説明】
【技術分野】
【０００１】
本発明は、旅行等の業務を行う旅行代理店等の企業側が、消費者の中から、既存客（企業側から既に旅行に行ったことがある消費者。以下、既存客とする）と新規見込み客（企業側からまだ旅行に行ったことのない消費者）を判定かつ決定し、新規見込み客の獲得を目的とする構成であって、旅行券、及び定期購読の旅行用カタログの配布を基にする新規見込み客の獲得方法に関する。
【背景技術】
【０００２】
従来は、旅行の紹介・斡旋等の業務を行う旅行代理店が、新規見込み客を獲得する場合に、通常、新聞・雑誌・パンフレット等に掲載する広告か、又はインターネット上に自社の商品又は役務（旅行に関する各種のサービス及び／又は人材派遣）を掲載する広告等の手段が挙げられる。
【０００３】
しかし、この手段では、企業側が、多数の消費者より、新規見込み客を、効率よく、獲得するには、自ずと限界がある。その理由の一例は、消費者は、自分にとって、興味のないＣＭや、新聞・雑誌等の広告を見ても、購買意欲が起こらず、この企業側と消費者における意思疎通がなく、かつこの両者の思惑が一致しないことが考えられる。また、この新聞・雑誌等に掲載する場合には、その掲載等にかかる費用が多額になり、また、不特定多数の消費者に配布しても、効率が悪く、無駄になることが間々生ずる等の様々な問題点が生じる。
【０００４】
また、通常は、新聞・雑誌等の広告を見ても、消費者は、場慣れしていることから、行動を起こすことは、少ないと考えられる。そして、この種の新聞広告等では、掲載スペースが限られているため、消費者に対して、企業側の情報を的確に伝えることができない等の不都合も生じる。また、ＴＶＣＭでは、その放映時間も短いため、上記と同様に消費者に対して、有益な情報を提供することが非常に困難である。
【０００５】
また、新聞・雑誌等の広告を利用して、希望者のみに、旅行の案内（例えば、カタログ）を送付する場合は、新聞広告の掲載された誌面を切り取り、葉書として、旅行代理店に送付するという手法もあるが、上記と同様に、消費者に対する申し込みの意欲の向上には繋がらず、新規見込み客の獲得には難があると思われる。
【０００６】
よって、このような問題点を解決するために、新規見込み客の獲得方法に関する調査を行ったので、下記に例示する。
【０００７】
先ず、特許文献１は、特開２００２−３６６８４７の「有望見込み客の選別情報管理方法および有望見込み客への宣伝方法」である。この構成は、通信ネットワークを介して配布される商品購入見込み客及び／又は役務利用見込み客に関する異業種顧客情報を表示手段で表示する表示ステップと、表示手段により表示されたコンテンツから特定のキーワードを検索手段で検索するキーワード検索ステップと、特定のキーワードを検索した場合には異業種顧客を有望見込み客と判定手段が判定する有望見込み客判定ステップと、有望見込み客と判定された顧客の情報を管理手段によって管理する顧客情報管理ステップと、前記有望見込み客と判定された顧客に対して商品又は役務に関する営業活動をダイレクトメールにより、通信ネットワークを介した配信により行う営業活動ステップとを有する有望見込み客への宣伝方法である。
【０００８】
次に、特許文献２は、特開２００２−９２２８５の「マーケティングシステム」である。この構成は、商品又はサービスに関する文字及び画像よりなる複数の情報である商品等情報を有するサーバーを備える。このサーバーにはネットワークを通じて、複数の顧客がアクセス可能であり、サーバーは、顧客ＩＤその他の情報を管理する顧客管理ＤＢと、顧客のサーバーに対するログオンを認識するユーザー認識手段と、各顧客がサーバーにログオンし商品等情報の各々に対して行ったイベントを検出し記録するイベント記録手段と、各顧客のイベント数を積算するイベント積算手段とを備える。そして、イベント積算手段による積算イベント数がしきい値を超過した場合に有効見込み客と判定する判定手段を備え、ネットワークのホームページを利用して効果的に有効見込み客を発見することの可能なマーケティングシステムを提供する。
【０００９】
最後に特許文献３は、特開２００１−３３８１１９の「顧客獲得用装置、顧客獲得システム、顧客獲得方法および顧客獲得用プログラムを記録した情報記録媒体」である。この構成は、この顧客獲得用装置は、見込み客に関する情報が入力された見込み客データベースと、商品を１回以上購入又はサービスを１回以上受けたお客（既存客）に関する情報が入力された既存客データベースと、見込み客データベース中の情報を利用して見込み客を既存客とするためのフォロー方法プログラムとなる既存客移行化プログラムと、既存客中で複数回の商品購入者又はサービス享受者であって店側にとってより好ましい所定の条件を満たすお客（固定客）に関する情報が入力された固定客データベースと、既存客データベース中の情報を利用して既存客を固定客とするためのフォロー方法プログラムとなる固定客移行化プログラムと、固定客中で所定の条件を満たすと共に商品販売者、又はサービス提供者に対して強い愛着、又は信頼感を有するお客（信者客）に関する情報が入力された信者客データベースとを有し、見込み客を顧客化させたり、既存客を固定客化させたり、見込み客を既存客、固定客、信者客へと導いていくことを意図する。
【００１０】
【特許文献１】特開２００２−３６６８４７
【特許文献２】特開２００２−９２２８５
【特許文献３】特開２００１−３３８１１９
【発明の概要】
【発明が解決しようとする課題】
【００１１】
前記特許文献１に開示された構成は、通信ネットワークを介し、特定のキーワードを検索し、このキーワードにより、この客が、有望客か否かを判定する判定手段とで成立しているが、このシステムは、ネットワーク環境が整備されていないと使用できないというデメリットがある。また、ダイレクトメールを使用するため、新規見込み客が、そのダイレクトメールを見逃す可能性も高く、有益ではない。
【００１２】
特許文献２に開示された構成は、顧客を認識した後において、各顧客がサーバーにログオンし商品等情報の各々に対して行ったイベントを検出し記録するイベント記録手段により、この顧客のイベント参加を積算するイベント積算手段により、この顧客が、積算イベント数がしきい値を超過した場合に有効見込み客と判定する判定手段を備え、ネットワークのホームページを利用して効果的に有効見込み客を発見するとしているが、そのイベントに参加しないと、この有効見込み客と判定がされないため、興味があっても、時間がつくれないような多忙な顧客に関して、そのアプローチに取りこぼし等の損失が生じると考えられ、上記特許文献１と同様に、新規見込み客の獲得の割合（集客効率）が、低いように思われる。
【００１３】
特許文献３に開示された構成は、複数回の商品購入者又はサービス享受者を、その段階に応じて、管理する方法であるが、この商品購入又はサービス享受を受けるまでの段階が不明であり、また、そのように、段階で判定しても、上記特許文献１及び特許文献２と同様に、新規見込み客の獲得の割合が、低いように思われる。その理由は、単に、この特許文献３は、サービス提供者に対して強い愛着、又は信頼感を有するお客（信者客）に関する情報が入力された信者客データベースを獲得することを意図するが、客層の選別を意図するに留まるものであり、かつその選択条件が、人の感情に訴えるのに留まり、効率的な集客力には及ばないものと考えられる。
【００１４】
そこで、本システムの効果を下記に記載する。
（イ）  既存媒体である新聞広告・折込みチラシ等の広告・テレビコマーシャル等のＣＭ・店頭等の告知プロモーション等よりも、消費者の反応が明らかにわかる本システムを採用することで、顧客満足度が高く、インパクトがあり、企業側・提供者側・消費者の三者が、各々の目的を一致させ、しかも目的とする利益、並びに集客力（新規見込み客を獲得）の向上を図るシステムを行う。
（ロ）  経費を節約して、資本力の乏しい会社であっても、新規見込み客の獲得が図れる。また役務（旅行に関する各種のサービス及び／又は介護・各種の病気のケアーを含めた人材派遣）を基にした、新たなサービスを利用、かつアピールして、新規見込み客の獲得が図れる。
（ハ）  新規見込み客を、簡単かつ確実に獲得でき、企業側（企業）にとっては、自社の商品又は役務を、消費者と提供者側の双方に、販売又は提供することができ、利益になる。
（ニ）  新規見込み客と既存客の判定を行うため、重複して、既存客に対して、アプローチすることもなく、この判定が、公平かつ容易であるために、ミスが少ないこと、かつ、誰でも本システムを実施ができる。そして、定期購読の旅行用カタログ等の送付を限定することで、資源等の無駄を軽減することができ、さらに、時間の短縮、効率化を図ることができる。
（ホ）  懸賞を伴うことで、消費者の申し込みの意欲と、その数の拡充が図れ、この拡充に伴い、有益な新規見込み客を獲得することができる。
【課題を解決するための手段】
【００１５】
請求項１の発明は、前記（イ）〜（ホ）等の実益がある。
【００１６】
請求項１は、会員募集旅行等の業務を行う旅行代理店等の企業側と、この企業側に対して、資金及び／又は場所を提供する提供者側と、この企業側及び／又は提供者側に個人情報を提供する消費者とで構成したネットワークシステムにおいて、この消費者は、商品の購入と、この購入により資格を得て懸賞を応募し、この応募した消費者の中で当選した消費者に、前記提供者側が旅行券を配布し、また、この応募した消費者に対して、定期購読の旅行用カタログを配布することを基にする新規見込み客の獲得方法であって、
この消費者が、前記企業側及び／又は提供者側から旅行券の配布を受ける資格を獲得するための条件は、この提供者側の商品を一定金額以上購入し、応募用紙を入手し、かつこの応募用紙に、当該消費者の個人情報を記入し、この消費者が応募した場合には、前記企業側及び／又は提供者側のコンピューターに入力し、
そして、この個人情報の提供を受けた企業側及び／又は提供者側は、この企業側及び／又は提供者側のコンピューターに蓄積された既存客の個人情報と、前記応募した消費者の個人情報を、このコンピューターの判定演算部で処理し、判定かつ決定し、この判定かつ決定された消費者を新規見込み客とし、
この新規見込み客に、定期購読の旅行用カタログを配布する構成とした旅行券、及び定期購読の旅行用カタログの配布を基にする新規見込み客の獲得方法である。
【００１７】
請求項２の発明は、請求項１の目的を達成し、既存客と新規見込み客との判定かつ決定をする際において、効率よく選別するための条件設定と、その判断箇所を特定すること等を意図する。
【００１８】
請求項２は、請求項１に記載の定期購読の旅行用カタログ及び／又は旅行券を配布する、旅行券、及び定期購読の旅行用カタログの配布を基にする新規見込み客の獲得方法であって、
既存客と、新規見込み客を判定する方法は、氏名・住所・生年月日・性別・地域・電話番号・職業の一定の条件設定を決定し、この条件設定に該当しないものを、前記コンピューターの判定演算部で判定し、この判定を表示識別部で、識別表示することで、この判定により新規見込み客とし、この新規見込み客に対してのみ、企業側から定期購読の旅行用カタログを配布する構成とした旅行券、及び定期購読の旅行用カタログの配布を基にする新規見込み客の獲得方法である。
【００１９】
請求項３の発明は、請求項１の目的を達成し、コンピューターを基に、正確かつ簡易に新規見込み客を獲得することを意図する。
【００２０】
請求項３は、請求項１に記載の定期購読の旅行用カタログ及び／又は旅行券を配布する、旅行券、及び定期購読の旅行用カタログの配布を基にする新規見込み客の獲得方法であって、前記コンピューターの表示識別部での表示は、色別・数字による目視判断、及び／又は音声による判断を基に新規見込み客とし、この新規見込み客の有益な個人情報を獲得する構成とした旅行券、及び定期購読の旅行用カタログの配布を基にする新規見込み客の獲得方法である。
【発明の効果】
【００２１】
請求項１の発明は、会員募集旅行等の業務を行う旅行代理店等の企業側と、企業側に対して、資金及び／又は場所を提供する提供者側と、企業側及び／又は提供者側に個人情報を提供する消費者とで構成したネットワークシステムにおいて、消費者は、商品の購入と、購入により資格を得て懸賞を応募し、応募した消費者の中で当選した消費者に、提供者側が旅行券を配布し、また、応募した消費者に対して、定期購読の旅行用カタログを配布することを基にする新規見込み客の獲得方法であって、
消費者が、企業側及び／又は提供者側から旅行券の配布を受ける資格を獲得するための条件は、提供者側の商品を一定金額以上購入し、応募用紙を入手し、かつ応募用紙に、消費者の個人情報を記入し、消費者が応募した場合には、企業側及び／又は提供者側のコンピューターに入力し、
そして、個人情報の提供を受けた企業側及び／又は提供者側は、企業側及び／又は提供者側のコンピューターに蓄積された既存客の個人情報と、応募した消費者の個人情報を、コンピューターの判定演算部で処理し、判定かつ決定し、判定かつ決定された消費者を新規見込み客とし、
新規見込み客に、定期購読の旅行用カタログを配布する構成とした旅行券、及び定期購読の旅行用カタログの配布を基にする新規見込み客の獲得方法である。
【００２２】
従って、請求項１は、下記の（イ）〜（ホ）等の特徴がある。
（イ）  既存媒体である新聞広告・折込チラシ等の広告・テレビコマーシャル等のＣＭ・店頭等の告知プロモーション等よりも、消費者の反応が明らかにわかる本システムを採用することで、顧客満足度が高く、かつインパクトがあり、企業側・提供者側・消費者の三者が、各々に利益を生じるシステムである。
（ロ）  経費を節約して、資本力の乏しい会社であっても、新規見込み客の獲得が図れる。また役務（旅行に関する各種のサービス及び／又は介護・各種の病気のケアーを含めた人材派遣）を基にした、新たなサービスを利用、かつアピールして、新規見込み客の獲得が図れる。
（ハ）  新規見込み客が、簡単かつ確実に獲得でき、企業側の企業は、自社の商品又は役務を消費者と提供者側双方に、販売することができ、企業側にとって、利益になる。
（ニ）  新規見込み客と既存客の判定を行うため、重複して、既存客に対して、アプローチすることもなく、その判定が、公平かつ容易であるために、ミスが少ないこと、かつ、誰でも本システムを実施ができる。そして、定期購読の旅行用カタログ等の送付を限定することで、資源等の無駄を軽減することができ、さらに、時間の短縮、効率化が図れる。
（ホ）  懸賞を伴うことで、消費者の申し込みの意欲と、その数の拡充が図れ、この拡充に伴い、有益な新規見込み客を獲得することができる。
【００２３】
請求項２の発明は、請求項１に記載の定期購読の旅行用カタログ及び／又は旅行券を配布する、旅行券、及び定期購読の旅行用カタログの配布を基にする新規見込み客の獲得方法であって、
既存客と、新規見込み客を判定する方法は、氏名・住所・生年月日・性別・地域・電話番号・職業の一定の条件設定を決定し、この条件設定に該当しないものを、コンピューターの判定演算部で判定し、この判定を表示識別部で、識別表示することで、この判定により新規見込み客とし、この新規見込み客に対してのみ、企業側から定期購読の旅行用カタログを配布する構成とした旅行券、及び定期購読の旅行用カタログの配布を基にする新規見込み客の獲得方法である。
【００２４】
従って、請求項２は、請求項１の目的を達成し、既存客と新規見込み客との判定かつ決定をする際において、効率よく選別するための条件設定を行うこと等の特徴を有する。
【００２５】
請求項３の発明は、請求項１に記載の定期購読の旅行用カタログ及び／又は旅行券を配布する、旅行券、及び定期購読の旅行用カタログの配布を基にする新規見込み客の獲得方法であって、コンピューターの表示識別部での表示は、色別・数字による目視判断、及び／又は音声による判断を基に新規見込み客とし、新規見込み客の有益な個人情報を獲得する構成とした旅行券、及び定期購読の旅行用カタログの配布を基にする新規見込み客の獲得方法である。
【００２６】
従って、請求項３は、請求項１の目的を達成し、コンピューターを基に、正確かつ簡易に新規見込み客を獲得できること等の特徴を有する。
【図面の簡単な説明】
【００２７】
【図１−１】ネットワークシステム（本システムとする）の概要を示した模式図
【図１−２】本システムのコンピューターの一例を示した拡大模式図
【図２−１】新規見込み客と既存顧客を選別する処理のフローチャート図
【図２−２】図２−１の例において、その続きを示した処理のフローチャート図
【図３】応募用紙の一例を示した模式図
【図４】チラシの一例を示した模式図
【発明を実施するための形態】
【００２８】
図１−１は、本システムの概要を示した拡大模式図であり、その概要を説明している。また、図１−２は、本システムのコンピューターの一例を示した拡大模式図であり、その概要を説明している。そして、図２−１は、新規見込み客と既存顧客を選別する処理のフローチャート図であり、その概要を説明している。また、図２−２は図２−１の例において、その続きを示した処理のフローチャート図であり、その概要を説明している。さらに、図３は、応募用紙の一例を示した模式図であり、その概要を説明している。図４は、チラシの一例を示した模式図であり、その概要を説明している。何れも、本システムの理解を容易にするための図である。
【００２９】
本システムの概要は、広告宣伝・販売促進のために行う、旅行用カタログ（定期購読の旅行用カタログ）・ダイレクトメール・郵便等の配布を行う、所謂、旅行等の紹介・斡旋・企画等を行う旅行に関する全ての業務を行う企業側Ａの企業が、消費者Ｃの中から、有益な新規見込み客Ｃ１の獲得を行う場合において、消費者Ｃの氏名・名称・郵便番号・住所・居所・生年月日・電話番号・職業（必要により、趣味・家族・友人）等の個人情報の入手を行い、この個人情報と、かつ、懸賞・応募の状況又は企画等に基づいて、後述するコンピューター内の判定演算部で処理し、企業側Ａが、必要とする有益な新規見込み客Ｃ１に対して、効率的、また、コンピューター内の判定演算部の処理により、確実に、定期購読の旅行用カタログを配布し、旅行業務を行う（旅行の案内・宣伝で旅に関する全ての事柄）構造であって、例えば、社名と商標を表示すると、株式会社ＪＴＢの「旅物語」等の配布を有益な新規見込み客Ｃ１に対して行い、購買意欲を惹起し、新規見込み客Ｃ１の増加を図ること、又は後述する提供者側Ｂからのオリジナル旅行券２（旅行券）購入の利益、並びに、この新規見込み客Ｃ１の個人情報を、正規のルートを介して入手することができる。そして、また、異業種（企業側Ａ等と、提供者側Ｂと、消費者Ｃ）で組立てる新規ビジネスと、新規雇用の促進、人の交流・人間関係等を構築することで、ビジネスの拡大と、人に新規かつ有益な商売の仕組みを構築することが、本システムの目的である。
【００３０】
また、本システムを利用する際に、既存の顧客（既存客Ｃ２とする）との抽出（マッチング）を行い、効率よく有益な新規見込み客Ｃ１を獲得する。尚、この抽出時において、コンピューターによって、新規見込み客Ｃ１の個人情報を管理する。この管理については、コンピューターの判定演算処理（判定演算部）を利用して行うが、詳細は後述する。
【００３１】
詳細に説明すると、図１−１に記載したように、本システムのネットワークシステムの主体は、有益な新規見込み客Ｃ１の獲得及び／又はアプローチ（宣伝）を業務とする企業側Ａであり、続いて、この企業側Ａに場所と、個人情報の入手等を提供する提供者側Ｂ（この提供者側Ｂも個人情報を入手可能）と、この企業側Ａ及び／又は提供者側Ｂより、商品（旅行用カタログ、定期購読の旅行用カタログ・旅行券（オリジナル旅行券２を含む）・各種の商品等）、又は役務の提供を受ける消費者Ｃとの三者に大別される。以下、この企業側Ａと、提供者側Ｂと、消費者Ｃとに分けて、その概要を説明する。
【００３２】
この企業側Ａと、提供者側Ｂが連繋して、この消費者Ｃに懸賞の機会を提供する。そして、この懸賞の中身（景品）は、消費者Ｃにオリジナル旅行券２を配布すること（第一の手段）と、また、希望する消費者Ｃのみに、定期購読の旅行用カタログを配布すること（第二の手段）である。そして、この懸賞に応募する消費者Ｃは、応募者となり、この応募者（消費者Ｃ）は、その個人情報を提供する。このギブ＆テイクが、本システムの概要であり、新規ビジネスを発展することと、また、この企業側Ａと、提供者側Ｂと、消費者Ｃのネットワークを創成しつつ、新たなビジネスチャンスと、雇用促進を図ることを意図する。尚、この企業側Ａ及び／又は提供者側Ｂは、この消費者Ｃの中であって、かつ、旅行に行く欲求があり、また、その意思がある消費者Ｃをターゲットとしており、この消費者Ｃに対して定期購読の旅行用カタログを配布すること、或いはこの定期購読の旅行用カタログに、取扱商品、又はサービス、役務等の業務内容・広告を併用することもできる。また、チェーン店・人・業者の紹介（名簿の獲得）等の各業務（商品又は役務とする）を提供することも有り得る。そして、この消費者Ｃの人数は、一人でも複数でもよく、限定されない。また、旅行の役務の提供等を、近々を始めとして、例えば、将来的に行う予定も可能であり、また、その回数は、一回のみの場合も、継続的な場合も有り、限定されない。
【００３３】
尚、この企業側Ａには、旅行代理業に限定されず（旅行に関する役務でなく）、例えば、他の業種の企業側Ａ１では、各種商品・製品・家電品等の販売製品に関する業務を提供し、有益な新規見込み客Ｃ１の獲得に役立てる業務を、本システムのネットワークに組み入れることが可能であり、更なるビジネスに役立つことは明白である。
【００３４】
そして、また、別の役務では、後述する人を媒介とする業種の企業側Ａ２では、例えば、後述する名簿の獲得に関する業務を提供し、有益な新規見込み客Ｃ１の獲得に役立てる業務を、本システムのネットワークに組み入れることが可能であり、新規ビジネスに役立つことは明白である。
【００３５】
そして、この提供者側Ｂは、前述したように、企業側Ａから購入したオリジナル旅行券２の配布（懸賞の景品の発送）と、定期購読の旅行用カタログ等の役務の提供を促すために、その場所及び／又は機会（場所とする）を提供する。即ち、この場所において、消費者Ｃの獲得を意図し、後述する企業側Ａ及び／又は提供者側Ｂは、懸賞を提供し、この懸賞に対して、消費者Ｃは応募等する際に、個人情報の記入することで（個人情報獲得手段）、この企業側Ａ及び／又は提供者側Ｂは、法律に則った手段で、消費者Ｃの個人情報（消費者Ｃに関する個人情報）を獲得する。このような個人情報獲得手段による有益な新規見込み客Ｃ１を獲得するのが、本発明の目的であるとともに、この新規見込み客Ｃ１を、効率よく獲得し、もって、新規見込み客Ｃ１の増加を図る。
【００３６】
また、この提供者側Ｂは、懸賞（応募）の景品であるオリジナル旅行券２（原則として、このオリジナル旅行券２は、提供者側Ｂが企業側Ａから購入）獲得しようとして、例えば、提供者側Ｂの場所に訪れる消費者Ｃが増加することが考えられる。従って、この増加に伴い、この提供者側Ｂで取り扱っている各種の商品の販売量（売上げ）の増加、商品・メーカー選定によるキャンペーン協賛獲得、又は役務（サービス、人材）の提供（役務ビジネス）の拡販と、新規ビジネスの創成という効果も達成できる。この例では、提供者側Ｂ又は提供者側Ｂに委託された業者が、消費者Ｃに対して懸賞を提供し、この懸賞に応募する所定（新規）の消費者Ｃに、オリジナル旅行券２を提供する見返りとして、前記個人情報の獲得、及び／又は、定期購読の旅行用カタログ等の役務の提供を、効率的で、かつ無駄なく配布することが、基本である。そして、この基本となる本システムは、本発明者の経験を基に構築した構造であり、その消費者Ｃの獲得と、前記商品の販売量の増加、又は役務の提供の拡販と、新規ビジネスに、大きな効果を発揮することは、間違いがないと確信する。尚、このオリジナル旅行券２には、企業側Ａの旅行に関する全てのノウハウが含まれていることと、この企業側Ａの独自性が、最大限に発揮できることであり、かつ独占的な商品企画である。従って、景品として提供するには、最大のメッセーシであり、かつ有意義な商品であること、他社では、全く入手できない企画、かつ商品である。この独自性と、有効性があるオリジナル旅行券２を基本として、懸賞に応募する所定の消費者Ｃと、有益な新規見込み客Ｃ１を多く獲得するのが、本発明のシステムの基本である。
【００３７】
この応募のための手段の一例が、図３に示した応募用紙１であり、その詳細を説明すると、その上段には、この懸賞の景品が、１５００万円分のオリジナル旅行券２であることを、表題項目１００と説明書きで示されており、その下側に、応募者（消費者Ｃ）の個人情報を記入する、個人情報項目１０１が、そして、その隣に、懸賞の応募に必要とする条件と、期間等の必要条件項目１０２が、さらに、下段には、この発明のポイントである定期購読の旅行用カタログを必要とするか否かのチェック項目１０３と、秘密条項欄がある。そして、必要により、ＱＲコードを付し、さらに詳細な状況と、後述するオリジナル旅行券の内容、景品の内容、或いはネットシステムを利用しての応募と、定期購読の旅行用カタログの希望等の情報を、伝達することも可能である。従って、この例では、定期購読の旅行用カタログを希望する場合には、消費者Ｃは、チェック項目１０３にチェックすることで、消費者Ｃの手元に、この定期購読の旅行用カタログを入手することができる（企業側Ａ、又は企業側Ａに委託された業者、必要により、提供者側Ｂ等から定期購読の旅行用カタログが送付される）。このように、応募と、かつこの応募した中で、この定期購読の旅行用カタログを、必要とする人（旅行に対して意欲のある人）に、かつ有効（効率的）に届けることができる。従って、例えば、この定期購読の旅行用カタログが活用できること、又はこの定期購読の旅行用カタログの無駄を省き、かつ運送代の節約ができること等の実益がある。そして、この定期購読の旅行用カタログを入手した、消費者Ｃは、旅行を希望する（申し込む）確率が高い有益な新規見込み客Ｃ１であり、かつこの効果を、少ない定期購読の旅行用カタログの配布で達成できる特徴がある。従って、従来のように、この定期購読の旅行用カタログを無料配布する際に問題となる、例えば、定期購読の旅行用カタログの無駄を解消し、かつ資源の無駄使い、又は新規見込み客Ｃ１の獲得数の減少化等の問題点を解消できる。尚、このチェック項目１０３は、この例に限らず、新規見込み客Ｃ１の来店とか、自宅訪問の希望、又は電話・メール対応等の項目も考えられる。尚、この応募用紙１は、消費者Ｃが見易く、個人情報の中で、最低限の内容とし、プライバシーの保護に最大の注意を払うことを意図する。そして、下段に示したチェック項目１０３は、消費者Ｃが気軽に、かつ見落とすことなく目視できる部位（箇所）に示されている。
【００３８】
また、消費者Ｃは、有益な新規見込み客Ｃ１と、既存客Ｃ２と、その他Ｃ３に大別される。この新規見込み客Ｃ１（懸賞を実行する人で、応募者）は、旅行に行きたい意思を有しているが、未だ受ける（申し込む）前段階の消費者Ｃのことをいう。また、既存客Ｃ２は、前記新規見込み客Ｃ１とは、異なり、既に、企業側Ａの企画等する旅行に行ったことのある消費者Ｃをいう。また、場合によっては、企業側Ａの企画等する旅行に行ったことのある消費者Ｃ及び／又は企業側Ａの定期購読の旅行用カタログ等を入手したことのある消費者Ｃにすることもできる。その理由は、新規見込み客Ｃ１の獲得を確立するためである。
【００３９】
以上のような、消費者Ｃの中で、有益な新規見込み客Ｃ１を多く獲得することを、最大の目的とするのが、本システムである。従って、既存客Ｃ２の獲得を目的としない。そして、この新規見込み客Ｃ１及び／又は既存客Ｃ２は、その数は、限定されず、この企業側Ａに利益をもたらすに十分な人数をいう。そして、この消費者Ｃ（応募者）は、懸賞に対する応募（オリジナル旅行券２の獲得）に対して、必要な情報を提供する（定期購読の旅行用カタログの配布にも必要である）。例えば、応募用紙１等の個人情報獲得手段により、その消費者Ｃの個人情報、例えば、氏名・名称・郵便番号・住所・居所・生年月日・電話番号・職業等の個人情報と、チェック項目１０３の記入等を行い、必要とする情報を企業側Ａ及び提供者側Ｂに提供する。この個人情報が、企業側Ａにとっては、必要かつ目的とする新規見込み客Ｃ１候補となる。
【００４０】
この後、チェック項目１０３にチェックがあった、定期購読の旅行用カタログ希望の新規見込み客Ｃ１候補であって、かつ後述する、条件設定に該当することと、既存客Ｃ２と新規見込み客Ｃ１を判定する方法により抽出した新規見込み客Ｃ１に対して、定期購読の旅行用カタログを無料配布する。
【００４１】
本システムを具体的に説明するために、企業側Ａを旅行代理店、提供者側Ｂをスーパーマーケットの例にして、説明する。そして、この例は、あくまでも一例であるため、その態様は、限定されず、企業側Ａと提供者側Ｂの双方の合意・その目的等が一致すれば、様々なモデルが考慮される。尚、これに伴い、消費者Ｃの態様も変更されるのは、前述した通りである。尚、この例における懸賞の景品を、オリジナル旅行券２とする。そして、オリジナル旅行券２を使用することで、新規見込み客Ｃ１は、その旅行する場所と時間を選択することができ、新規見込み客Ｃ１の選択枝を増やすことができる（企業側Ａの企画する旅行用カタログ等から希望する旅行日程・内容を選択する）。
【００４２】
そして、前記企業側Ａである旅行代理店（他の企業側Ａ１等を含む）は、提供者側Ｂのスーパーマーケットに対して、その実施場所の確保を要請する。この場所は、企業側Ａが、提供者側Ｂのターゲット層を選択、又は抽選し、企業側Ａのターゲット層とのマッチングを図り、双方が一致すれば、その場所は、限定されないものとする。そして、この例においては、企業側Ａのターゲット層が、４０代〜７０代くらいの主婦層であるため、提供者側Ｂのように、スーパーマーケットが、その実施場所に該当する。また、この提供者側Ｂのターゲット層（来客層）が、前記のように、一致していれば、その場所は、限定されない。そして、この提供者側Ｂの提供場所は、企業側Ａと提供者側Ｂの双方のニーズによって、その業種・来店客層・購買力等の目的に応じて、その都度変更ができるものとする。
【００４３】
そして、この企業側Ａと、提供者側Ｂのスーパーマーケットの双方の関係において、説明すると、本システムを実施する前に、企業側Ａは、スーパーマーケットに対して、オリジナル旅行券２の販売を行う。このオリジナル旅行券２は、例えば、その売値券面額が１００００円であれば、８０００円程度で販売してもよく、企業側Ａが利益を獲得できれば、その売値はいくらでもよい。また、この購入金額は、提供者側Ｂの資本力・顧客吸引力等によって、その金額の総合計を決定する。そして、例えば、景品表示法を遵守のため、キャンペーン期間中（懸賞応募期間中）の提供者側企業Ｂの売上想定金額の２％以内において、消費者Ｃに魅力的な懸賞機会を提供する。そして、この企業側Ａは、地域の企業側Ａ３・・・・・（旅行業務を行なう企業）も、本システムへの加盟を可能とし、全国チェーン、さらには、図示しないが、世界にも及ぶ広大で、かつ人類の平和に役立つ旅行と、全世界の人との交わりの機会（本ネットワークシステム及び／又は旅行）により提供でき有益であること、また、コンピューターの総合的なネットシステムを構築できる。
【００４４】
この効果として、企業側Ａは、提供者側Ｂのスーパーマーケットにオリジナル旅行券２を販売することができ、スーパーマーケットは、詳細は後述するが、消費者Ｃが、オリジナル旅行券２（景品）を獲得するために、懸賞に応募する必要があり、かつこの応募には、このスーパーマーケットの商品の購入が必要となる。従って、当然、スーパーマーケットの商品及び／又は役務を購入するので、この購入により、スーパーマーケット全体の売上げ・集客が上昇する。尚、この本システムを告知するため、新聞広告等の広告媒体に、例えば、「総額１００万円が当たる旅行券（オリジナル旅行券２）プレゼントキャンペーン  当店で、３０００円以上の買い物をしたお客様に、応募用紙を１枚お渡しします。この応募用紙の裏面の必要事項を記入の上、店内の応募箱に投函してください。」と掲載し、来客数（消費者Ｃの来店）の増加を促す。
【００４５】
次に、消費者Ｃと、提供者側Ｂのスーパーマーケットとの関係について、説明する。
【００４６】
前記のように、スーパーマーケットは、企業側Ａから、オリジナル旅行券２を一定額以上購入する。これにより、スーパーマーケットは、オリジナル旅行券２を景品とした懸賞、所謂、旅行券プレゼントキャンペーンを実施できる。この旅行券プレゼントキャンペーンを実施することで、消費者Ｃの購買・参加等の行動意欲が向上し、スーパーマーケット側（提供者側Ｂ）では、売上げ・集客の増加等となり、一方の企業側Ａ（提供者側Ｂの経由あり得る）は、オリジナル旅行券２の拡販が図れる。その一例を説明すると、消費者Ｃは、スーパーマーケットで、生活用品・日用品等を購入する。この商品を購入した際に、レシートを受け取り、このレシートを応募用紙１に添付する。この応募用紙１に住所・氏名・生年月日・性別・地域・電話番号・職業等の個人情報を記入し、スーパーマーケットに設けた応募箱へと投函することで、消費者Ｃは、本システムを利用した懸賞応募が完了する。
【００４７】
最後に、消費者Ｃと、提供者側Ｂの企業側Ａとの関係について、説明する。
【００４８】
前記のように、商品を購入し、レシートを受け取った消費者Ｃは、このレシートを応募用紙１に添付（貼付）し、この応募用紙１に、住所・氏名・生年月日・性別・地域・電話番号・職業等の個人情報を記入する。また、企業側Ａからの定期購読の旅行用カタログ等発送の希望の有無を、チェック項目１０３に記入する。そして、このチェック項目１０３にチェックがあった消費者Ｃに対して、企業側Ａの旅行代理店は、定期購読の旅行用カタログ等を発送する。尚、レシートを応募用紙１に添付する以外にも、提供者側Ｂに対して、手渡しで行うこともあり、その態様は限定されない。
【００４９】
前記定期購読の旅行用カタログは、企業側Ａが、消費者Ｃを、新規見込み客Ｃ１にするために、重要な販売促進のための商品又は役務（販売手法）であり、この定期購読の旅行用カタログには、消費者Ｃのニーズに合わせて、又、その地域（国内外・卒業シーズン）ごとに、各種旅行が掲載されている。もちろん、この定期購読の旅行用カタログは、複数冊、その用途に応じて、編集させており、例えば、日帰りバスプランから海外旅行まで、添乗員同行熟年の旅が中心にしたもの・宿泊プラン、航空機利用個人旅行中心の全国出発対応にしたもの・個人旅行プラン中心の全国出発対応にしたもの・添乗員同行のプランにしたもの等が、各種取り揃えてある。尚、原則としては、企業側Ａが旅行代理店の場合は、旅行情報を掲載した定期購読の旅行用カタログを有益な新規見込み客Ｃ１に対して、送付することが、アプローチとなり、この新規見込み客Ｃ１が旅行に行くことで（企業側Ａ等に旅行の申し込みをすることで）、既存客Ｃ２になる。
【００５０】
応募用紙１には、例えば、表面には、「総額５００万円相当の旅行券プレゼントキャンペーン２，０００名に当たる。応募期間は、平成２１年４月１日〜平成２１年４月３０日で、２，０００円以上（税込み）の商品をお買い上げのお客様に、応募用紙を１枚お渡しします。裏面の必要事項を記入の上、店内の応募箱へ投函してください。その結果として、例えば、１等は、旅行券（オリジナル旅行券２）で、３０，０００円分、３０名分とし、また、２等は、旅行券で、２，０００円分、２，０５０名分とし、この懸賞の当選発表日は、平成２１年８月１日で、賞品は、ご記入いただいた住所に発送いたしますので、正確にご記入下さい。このオリジナル旅行券２の抽選は、厳正であって、その当選者には、当選目録、葉書又は賞品の発送をもって、当選発表とかえさせていただきます。」等と記載し、裏面には、前記のように、消費者Ｃの氏名・住所・電話番号・生年月日・性別・地域・電話番号・職業等を記載する欄（個人情報項目１０１）が設けてある。尚、この裏面には、スーパーマーケットの店舗印を押印するスペースもあり、企業側Ａ及び／又は提供者側Ｂが、どの店舗（スーパーマーケット）で、本システムを実施にしたのかが、すぐに把握できる構成とする。そして、また、消費者Ｃも、企業側Ａの名前だけではなく、生活に密着したスーパーマーケットの承認を得ているため、個人情報を記載しても、その個人情報が悪用される危険性がないだろうとの認識を保てるので、有効であり、かつ安心して、応募できることが特徴である。
【００５１】
尚、前記個人情報について、消費者Ｃの氏名等以外にも、スーパーマーケットが、独自にポイントカード・オリジナルカード等を有している場合は、このカードの会員番号を応募用紙１に記載するだけでもよく、前記の氏名・住所等が反映されるため、消費者Ｃはその個人情報につき、省略が可能であり、有益であり、手間を減らすことでスピードが確保され、企業側Ａと、提供者側Ｂと、消費者Ｃの全てにメリットがある。
【００５２】
その応募用紙１には、消費者Ｃに対して、注意事項を記載する。そして、この注意事項は、消費者Ｃ本人が、抽選の結果、当選しても、この当選したオリジナル旅行券２を譲渡、売買を禁止する。これにより、適切な当選結果と複製等の防止を図ることができる。
【００５３】
そして、応募用紙１には、個人情報保護法にも、抵触しないように、個人情報保護についても記載する。そして、この個人情報は、企業側Ａの旅行代理店に提供する旨を記載する。また、業務委託先以外の第３者に開示することはない旨も記載する。このように、記載することで、消費者Ｃも安全に本システムを利用することができ、また前記法律にも抵触しないため、円滑な本システムの運用が期待できる。
【００５４】
また、定期購読の旅行用カタログを必要とするか否かのチェック項目１０３について、送付される定期購読の旅行用カタログ数には限りがありチェックされた方全員に送れるわけではないこと、例えば、２，０００部送付予定等とする。ただし、今回送付されなかった消費者Ｃより、電話等により直接、定期購読の旅行用カタログの請求があれば、コンピューター３の判定演算部の判定結果により送付する。この事例は、例えば、チェック項目１０３にチェックし、この定期購読の旅行用カタログの請求を要望する消費者Ｃ（応募者）に送付が図れて、かつ消費者Ｃとのトラブル回避と、企業側Ａの信用回復、並びに消費者Ｃの要望に応え得ること、等の利点がある。尚、懸賞に応募しない消費者Ｃからの電話で、定期購読の旅行用カタログの請求があった場合は、コンピューター３の判定演算部４の判定結果により送付する。このように、判定演算部４の判定する理由は、応募が無く、かつ定期購読の旅行用カタログの効率が悪い状況を判断し、適確な送付を図ることを意図する。いずれにしても、過去の履歴を基にし、定期購読の旅行用カタログの請求があった場合は、その都度、コンピューター３の判定演算部４の判定結果により送付する。
【００５５】
次の注意事項として、オリジナル旅行券２の有効期限を３カ月程度に設定する。これは、オリジナル旅行券２の使用期限を決めることにより、不正な使用を防止し、前述のような第３者への譲渡・売買を防止するためと、６か月未満に設定することで、前払式証票にならないようにするためである。最後の注意事項として、この応募用紙１は、前記スーパーマーケットに設置されている応募箱に投函する方法が有効であって、この応募用紙１を郵送等の別の手段で送付する方法でも問題ない。
【００５６】
次に、消費者Ｃの中から、有益な新規見込み客Ｃ１の判定を、企業側Ａに設けたコンピューター３の演算処理及び既存客Ｃ２との選別をして、管理する方法について図２−１〜図３を基に説明する。
【００５７】
まず、＜ＳＴ−１＞のように、消費者Ｃは、提供者側Ｂのスーパーマーケットで一定額以上の商品又は役務を購入する。そして、この購入の証明として、レシートを受領する。尚、このレシートは、前記スーパーマーケットが発行するものであれば、不問であるが、レシートの印刷が不鮮明なものや、一部欠落しているもの等は、偽造（複製）防止の観点からも、レシートとみなさない。
【００５８】
そして、＜ＳＴ−２＞のように、上記のレシートを応募用紙１に添付し、次に、応募用紙１（個人情報獲得手段）に個人情報項目１０１欄の記入を行う。この個人情報は、前述したように、住所・氏名・生年月日・性別・地域・電話番号・職業等を記入し、原則として、この記入者本人（消費者Ｃ本人）以外の記入は、認めない。これは、個人情報保護法及び本人保護の観点に基づくものである。そして、この応募用紙１は、提供者側Ｂのスーパーマーケット内に設置されている応募箱に投函する。
【００５９】
次に、この応募箱に投函された応募用紙１は、期日がきたら、提供者側Ｂのスーパーマーケットから、所定の抽選会場に送付する。この抽選会場は、提供者側Ｂが選定し、その場所は不問である。そして、この流れが＜ＳＴ−３＞である。
【００６０】
そして、提供者側Ｂ又はＢに委託された業者は、到着した多数の応募用紙１から、無作為に、当選者の抽選を行う＜ＳＴ−４＞。
【００６１】
尚、この当選者の抽選は、厳密に行うものとする。そして、この抽選により、当選した消費者Ｃに対して、オリジナル旅行券２が送付される。そして、この当選者（消費者Ｃ）も当選しなかった消費者Ｃもすべて＜ＳＴ−５＞へと進む。
【００６２】
次に、＜ＳＴ−５＞において、応募用紙１に記載された個人情報項目１０１欄が正確に記載されているかどうか否かの確認を行う。そして、この個人情報（個人情報項目１０１欄）が、正確に記載されていれば、ステップ＜ＳＴ−６＞へと進む。逆に記入漏れ等の不備があれば、＜ＳＴ−１＞へとリターンする。
【００６３】
＜ＳＴ−６＞では、この応募用紙１において、定期購読の旅行用カタログ希望の有無のチェック項目１０３欄にチェックが行われているかの確認を行う。この定期購読の旅行用カタログの希望があった場合には、＜ＳＴ−７＞へと進み、希望がされていなければ、＜ＳＴ−１＞へとリターンする。
【００６４】
次の＜ＳＴ−７＞では、年齢の確認を行い、企業側Ａが、ターゲットとする客層と、適合していなければ、＜ＳＴ−１＞へとリターンする。これは、その年齢層にマッチしていなければ、企業側Ａが、定期購読の旅行用カタログ等を送付しても、効果が少ないためである。つまり、有益な新規見込み客Ｃ１の獲得に結びつかない可能性が高いことが理由である。
【００６５】
次に、＜ＳＴ−８＞では、消費者Ｃの記入した住所（居所）が、企業側Ａの近隣県であるかの照会を行う。これは、企業側Ａの近隣県に住んでいないと、この企業側Ａを利用する可能性が、著しく低下し、前記＜ＳＴ−７＞の年齢の確認と同様に、定期購読の旅行用カタログ等を送付しても、効果が少ないためである。また、この効果が少ないと、集客に結びつかない等のデメリットがある。そして、この＜ＳＴ−８＞でＹＥＳであるならば、次の＜ＳＴ−９＞へとすすみ、近隣県以外であるならば、＜ＳＴ−１＞へとリターンする。
【００６６】
＜ＳＴ−９＞は、その他の条件設定による抽出であり、前記＜ＳＴ−７＞・＜ＳＴ−８＞と同様な判定基準でよく、この判定基準を満たすならば、＜ＳＴ−１０＞へとすすみ、この基準を満たさないならば、＜ＳＴ−１＞へと、リターンする。
【００６７】
次に、＜ＳＴ−１０＞について、説明する。この＜ＳＴ−１０＞では、応募用紙１の情報をＰＣ等のＤＢに消費者Ｃの住所・氏名・郵便番号・電話番号・生年月日・性別・地域・電話番号・職業等の個人情報を入力し、氏名・住所・生年月日・性別・地域・電話番号・職業等の一定の条件設定を、総合的に判断した目視による判定が行われるが、この目視以外にも、顧客管理ソフト・名簿管理ソフト等を使用して、円滑に判定することも考えられる。
【００６８】
＜ＳＴ−１１＞では、前記目視により、入力された消費者Ｃの情報が新規見込み客Ｃ１になるか既存客Ｃ２になるかの判定を行う。そして、この判定は、既存客Ｃ２の情報は、予め、前記ＤＢに蓄積されているため、この既存客Ｃ２以外の客が、新規見込み客Ｃ１となる。
【００６９】
そして、この判定した結果に基づき、新規見込み客Ｃ１に対して、企業側Ａが、定期購読の旅行用カタログ等を送付し、企業側Ａの旅行、取扱商品、又はサービス、役務等の業務内容・広告とか、或いはチェーン店・人・業者の紹介（名簿の獲得）等の各業務を提供しつつ、この新規見込み客Ｃ１の購入意欲等の向上を図る。このように、本システムは、懸賞に基く、オリジナル旅行券２の提供を介して、有益な新規見込み客Ｃ１を、確実かつ効率的に獲得するための手法であり、これによって、本発明の流れは終了する。
【００７０】
尚、既存客Ｃ２については、企業側Ａに対しての旅行、取扱商品、又はサービス、役務等の業務内容・広告とか、或いはチェーン店・人・業者の紹介（名簿の獲得）等の各業務に関する購読、又は購入とか、連絡等が、数年（一定期間）ないときは、前記ＤＢにおける既存客Ｃ２のリストから外すこともできる。そして、このように、既存客Ｃ２から外された消費者Ｃに対しても、有益な新規見込み客Ｃ１となる可能性が往々あるため、改めて、本システムの活用の余地があり、経年的なアプローチが図れる特徴と、全ての年代、かつ性別に関係することなく、利用できる有益なシステムである。そして、以上を、好ましい具体例の一例として説明したが、本システムの流れは一例であり限定されるものではない。また、前述の如く、企業側Ａ以外にも、様々な業種が挙げられ、これらの業種の中で、新規見込み客Ｃ１を獲得したい場合であれば、その態様等は種々考えられ、この考えを本発明に反映できる。
【００７１】
尚、本発明は、提供者側Ｂが提案する懸賞と、この懸賞への応募と、この応募による当選した消費者Ｃの景品である旅行券（オリジナル旅行券２）等を配布する第一の手段と、前記懸賞に応募した消費者Ｃの個人情報の入手を図り、かつこの消費者Ｃの中から、定期購読の旅行用カタログ等を希望する消費者Ｃにおいて、コンピューター３の判定演算部４（演算照合部）で、演算処理し、判定かつ決定（判定・決定）することで、消費者Ｃ（有益な新規見込み客Ｃ１）を把握し、また、確実、かつ効果よく、しかも低コストで、消費者Ｃ、即ち、有益な新規見込み客Ｃ１を獲得できる。そして、また、この新規見込み客Ｃ１の中から、希望する新規見込み客Ｃ１に対して（のみ）、定期購読の旅行用カタログ等を配布する第二の手段を、採用することで、本システムの有用化、多様化等を達成しつつ、かつ低コストで利用できること、また、この旅行券等の配布、及び定期購読の旅行用カタログ等の配布を基にする有益な新規見込み客Ｃ１を獲得できる。従って、この獲得効率の向上と、かつこの新規見込み客Ｃ１の個人情報獲得を図りつつ、また、旅行等への勧誘、又は商品購入へと導き得ること等の各種の実益がある。そして、この例では、コンピューター３の表示識別部５は、色別・数字による目視判断５００、及び／又は音声５０１による音声判断を基に新規見込み客Ｃ１か否か、判断表示する。この判断表示により、新規見込み客Ｃ１を適確に判断した後において、コンピューター３の履歴を見ることで、新規見込み客Ｃ１の有益な個人情報を獲得できる構成である。このコンピューター３の判定演算部４による判定・決定と、表示識別部５の表示があるので、機械的な正確、かつ公平な当選と、かつ新規見込み客Ｃ１の獲得が図れる実益を備えている。また、このコンピューター３による手法（判定・決定と、表示）は、厳選、かつ明瞭に行い、その後のトラブルの解消と、本システムの明瞭化と、並びに有効性が確保できる。そして、この判定演算部４の判定・決定は、コンピューター３のＣＰＵ３００にある既存客Ｃ２の登録履歴と、新規見込み客Ｃ１の個人情報を比較検討することで、判定・決定する構造である。
【００７２】
そして、本システムは、健常者に限定されず、例えば、旅行に関する各種のサービス及び／又は介護・各種の病気のケアーを含めた人材派遣を基にする構成では、この新たなサービスと、人材派遣の紹介を掲載した定期購読の旅行用カタログ等の配布に活用することで、斬新なサービスと、かつアピールの提供を介して、新規見込み客Ｃ１の獲得を広範囲に、かつ全ての人に公平に提供できる構成とし、有益な社会を構築できる。そして、また、前述した条件を、前記コンピューター３の判定演算部４の判定・決定と、表示識別部５の表示に組み込むことで、確実に達成でき、かつ本システムを構築できる特徴がある。
【産業上の利用可能性】
【００７３】
旅行等の業務を行う旅行代理店等の企業が、消費者の中から、既存客と新規見込み客を判定し、新規見込み客の獲得を意図する、旅行券、及び定期購読の旅行用カタログの配布を基にする新規見込み客の獲得方法に利用できる。
【符号の説明】
【００７４】
Ａ        企業側
Ａ１      企業側
Ａ２      企業側
Ｂ        提供者側
Ｃ        消費者
Ｃ１      新規見込み客
Ｃ２      既存客
Ｃ３      その他
１        応募用紙
２        オリジナル旅行券
３        コンピューター
３００    ＣＰＵ
４        判定演算部
５        表示識別部
５００    目視判断
５０１    音声
１００    表題項目
１０１    個人情報項目
１０２    必要条件項目
１０３    チェック項目
【図１−１】
2010286919.tif 000003
【図１−２】
2010286919.tif 000004
【図２−１】
2010286919.tif 000005
【図２−２】
2010286919.tif 000006
【図３】
2010286919.tif 000007
【図４】
2010286919.tif 000008